(57)【要約】【課題】大きい表示画面でも容易に取り付け、取り外しができる表示画面の取り付け装置の改善を提供する。【解決手段】表示画面を取り付けるための取り付けヘッド２００と、取り付けヘッドを支持する関節式支持アーム１００を備えている。取り付けヘッド２００は、自動的なセルフラッチ／ロック機能および手動ロック解除機能を提供し、雄部２１０と雌部２５０がロック／ロック解除され、続いて取り付けヘッド２００への解放力の継続的な適用なしに分離することを可能にする。関節式支持アーム１００は、操作するための工具を必要とせず、一般的にアームの軸上にある構成要素で上部アーム１３０の本体に一体化された調節機構（１４６）を提供する。【選択図】図４
2018116278.tif 000002
【特許請求の範囲】
【請求項１】
表示画面および支持体のいずれか一方に取り付ける雄部と、表示画面および支持体の他方に取り付ける雌部とを備え、前記雄部と雌部が互いに係合されることにより表示画面が支持体上に取り付けられる、表示画面を支持部に取り付ける取り付けヘッドであって、
前記雄部は、前記雌部に設けられた溝内に位置する突起を備え、前記溝は開口端と閉鎖端とを有し、前記突起は、係合位置をとるため、前記雌部に対し、前記開口端から前記閉鎖端まで前記溝に沿って係合方向に移動可能であり、
前記取り付けヘッドは、前記雄部及び雌部を前記係合位置でロックするためのラッチ機構を含み、
前記ラッチ機構は、前記突起が溝の閉鎖端まで係合方向に移動するときに、自動的に雄部と雌部とを互いにロックするロック位置となり、
前記雄部と前記雌部とが前記係合位置に係止されたとき、前記ラッチ機構は付勢力によって解除位置に移動可能であり、前記突起は前記雌部に対して前記溝に沿った係合解除方向に閉鎖端から開放端に向かって移動して、雄部と雌部とが互いに離脱することができるようにされ、
前記ラッチ機構は、付勢力が除去された後であって、突起と雌部との係合解除方向の相対的な移動の前に解除位置に留まることができるようにされている、取り付けヘッド。
【請求項２】
前記ラッチ機構が前記雌部に取り付けられている、請求項１記載の取り付けヘッド。
【請求項３】
前記ラッチ機構が、前記ロック位置に向かって付勢されたレバーを備える、請求項１または２記載の取り付けヘッド。
【請求項４】
前記レバーは、前記ロック位置において前記突起のノッチに係合し、前記係合解除方向への前記突起の移動を防止するラッチを含む、請求項３記載の取り付けヘッド。
【請求項５】
前記ラッチは、ヒールを形成する外端部において幅が広くなっている、請求項４記載の取り付けヘッド。
【請求項６】
前記ラッチは、前記ロック位置に移動するとき、ばねの付勢力に抗して作用する請求項４または５記載の取り付けヘッド。
【請求項７】
前記ばねは、前記ラッチのヒールを受けるために鋭角をなす平坦な片持ちばねである、請求項５または６記載の取り付けヘッド。
【請求項８】
前記レバーが前記ロック位置から前記解除位置に移動するとき、前記ラッチが前記ばねに押し付けられ、前記ばねの付勢力に抗して前記ばねを押し進め、ばねが静止位置に復帰し、ラッチに作用することによって、ラッチが解除位置に保持される、請求項６または７記載の取り付けヘッド。
【請求項９】
前記突起には、９０度回転された２つの異なる位置で前記雌部と係合可能な２つのノッチが設けられている、請求項４から８のいずれかに記載の取り付けヘッド。
【発明の詳細な説明】
【技術分野】
【０００１】
本発明は、従来のコンピュータモニタ、フラットスクリーンディスプレイ、テレビスクリーン、タブレット、ラップトップ、タッチスクリーンなどを含む、表示画面（ディスプレイ・スクリーン）を取り付けるための装置に関する。特に、本発明は、表示画面を取り付けるための取り付けヘッド、２つの表示画面を取り付けるための装置、および表示画面を取り付けるための関節式支持アームに関する。本発明は、表示画面を取り付けるための現行の装置の問題を克服し、改良された技術的特徴を提供することを目的とする。
【発明の概要】
【０００２】
第１の態様によれば、本発明は、表示画面および支持体のいずれか一方に取り付ける雄部と、表示画面および支持体の他方に取り付ける雌部とを備え、前記雄部と雌部が互いに係合されることにより、表示画面を支持体上に取り付ける、表示画面を支持部に取り付ける取り付けヘッドであって、前記雄部は、前記雌部に設けられた溝内に位置する突起を備え、前記溝は開口端と閉鎖端とを有し、前記突起は、係合位置をとるため、前記開口部から前記閉鎖端まで前記溝に沿った係合方向に前記雌部に対して移動可能である取り付けヘッドを提供する。
【０００３】
前記取り付けヘッドは、前記雄部及び雌部を前記係合位置にロックするためのラッチ機構を含み、前記ラッチ機構は、突起が溝の閉鎖端まで係合方向に移動するときに自動的に、雄部と雌部とを互いにロックするロック状態となり、前記雄部と前記雌部とが係合位置に係止されたとき、前記ラッチ機構は（外部からの）付勢力によって解除位置に移動可能であり、前記突起は前記雌部材に対して前記溝に沿った係合解除方向に閉鎖端から開放端に向かって移動して、雄部と雌部とが互いに離脱することができるようにし、ラッチ機構は、付勢力が除去された後であって、突起と雌部との係合解除方向の相対的な移動の前に解除位置に留まることができるようにされている。
【０００４】
好ましくは、ラッチ機構は、雌部に取り付けられている。さらに、ラッチ機構は、ロック位置に向かって付勢されたレバーを備えていてもよい。レバーは、ロック位置で突起のノッチに係合し、ロック解除方向への突起の移動を防止するラッチを含むことができる。好ましくは、ラッチは、ヒールを形成する外側端部において幅広である。
【０００５】
好ましい構成では、ラッチはロック位置に動くとき、ばねに抗して作用する。ばねは、好ましくは、ラッチの踵部（ヒール）を受けるために鋭角をなす平坦な片持ちばねである。これらの実施形態のいずれかにおいて、レバーがロック位置から解除位置に動かされると、ラッチはばねに押し付けられて、前記ばねの付勢力に抗して前記ばねを押し進め、ばねが静止位置に復帰し、ラッチに作用することによって、ラッチが解除位置に保持される。
【０００６】
好ましくは、突起に２つのノッチが設けられる。これにより、９０度回転した２つの異なる位置で雌部との係合が可能になる。
【０００７】
第２の態様によれば、本発明は、２つの表示画面を支持体に取り付ける装置であって、長さが可変の支持レールと、支持レールの実質的に中央で装置を支持体に取り付ける取り付けヘッドと、支持レールのそれぞれの端部で表示画面を装置に取り付ける取り付けヘッドとを備え、前記支持レールの長さは、前記支持レールの各辺を同時に伸長または短縮する単一の長さ調整制御部を有する調整機構によって制御され、前述の表示画面の取り付けヘッドを互いに近づけたり離したりするように移動させる、２つの表示画面を支持体に取り付ける装置が提供される。
【０００８】
好ましい実施形態では、装置を支持体に取り付けるための取り付けヘッドは、レールを使用時に実質的に水平または実質的に垂直な構成で取り付けることができるように構成されている。これは、装置を支持体に取り付けるためにレールが取り付けヘッドに対して回転することを可能にすることによって達成され得る。装置を支持体に取り付けるために、レールを取り付けヘッドに対して定位置にロックするための手段が設けられてもよい。
【０００９】
好ましくは、支持レールは伸縮自在であり、より好ましくは、支持レールは互いに重なり合って互いに対して移動する２つのビーム（梁）を含む。
【００１０】
好ましい実施形態では、調節機構は、長さ調整制御部に接続された共通シャフト上の２つのピニオンギヤを備え、各ピニオンギヤとかみ合うラックが各ビームに設けられ、ギヤは長さ調整制御によって回転させられ、それらのビームを互いに相対的に移動させ、支持レールの各側面を長くまたは短くする。各ラックは、各ビームに設けられたスロットの１つの内縁に設けられてもよく、それらのラックは、長さ調整制御が回転されると、ビームが反対方向に同時に移動されるように、対向する内縁に設けられる。
【００１１】
本発明のこの態様において、１つ以上の取り付けヘッドは、上記及び下記の第１の態様の取り付けヘッドであってもよい。
【００１２】
第３の態様によれば、本発明は、表示画面を固定面に取り付けるための関節式支持アームであって、第１の態様の取り付けヘッドの雄部または雌部を含む関節式支持アームを提供する。第４の態様によれば、本発明は、表示画面を固定面に取り付けるための関節式支持アームであって、第１の態様の取り付けヘッドを含む関節式支持アームを提供する。
【００１３】
第５の態様によれば、本発明は、表示画面を固定面に取り付けるための関節式支持アームであって、第２の態様による２つの表示画面を取り付けるための装置を含む関節式支持アームを提供する。
【００１４】
第３、第４または第５の態様の関節式支持アームは、表示画面の端部で調整可能な支持力を提供するコイルばねと、前記支持力を調整するために前記コイルばねの張力または圧縮力を調整する調節機構とをさらに備え、前記調整機構は、コイルばねの軸線と同軸にされている関節式支持アームを提供する。調整機構は、回転可能なカラーを含むことができる。
【００１５】
少なくとも好ましい実施形態では、本発明の第１の態様の取り付けヘッドは、自動的に行われる、セルフラッチ／ロック機能、及び手動ロック解除機能を提供し、雄部と雌部をロック解除／解放し、取り付けヘッドへの解放力の継続的な適用を要せずに分離される。したがって両手で支持体から表示画面を安全に取り外すことが可能であり、これはより大きな表示画面で特に有益である。
【００１６】
少なくとも２つの表示画面を本発明の第２の態様の支持体に取り付けるための装置は、少なくとも好ましい実施形態では、２つの表示画面を単一の支持体に取り付ける便利な方法を提供する。表示画面間の間隔は、２つの表示画面の取り付けヘッドを同時に離す１つのコントロールで調整される。装置は、２つの画面を横に並べて、または縦に上下に重ねて取り付けるように構成することができる。
【００１７】
第３、第４または第５の態様の関節式支持アームは、少なくとも好ましい実施形態では、操作するための工具を必要とせず、一般的に支持アームの軸の上に乗る構成要素と共に、支持アームの本体に一体化された調整機構を提供する。結果として得られる全体的なデザインは、あまり複雑ではなく、視覚的に魅力的で操作が簡単である。以下、添付の図面を参照しながら、本発明の好ましい実施の形態を単なる例示として記載する。
【図面の簡単な説明】
【００１８】
【図１】本発明の１つの態様による関節式支持アームの側面図である。
【図２】図１の関節式支持アームの側断面図である。
【図３】図２の関節式支持アームの上腕の拡大断面側面図を示す。
【図４】本発明の関節式支持アームの部分破断斜視図である。
【図５】本発明の一態様による取り付けヘッドの雄部を示し、図５Ａは雄部を斜視図で示し、図５Ｂは正面図を示し、図５Ｃは側面図を示す。
【図６】本発明の一態様による取り付けヘッドの雄部を示し、図６Ａは雄部を斜視図で示し、図６Ｂは正面図を示し、図６Ｃは側面図を示す。
【図７Ａ】図７Ａ〜図７Ｇは、本発明の一態様による取り付けヘッドの雄部及び雌部のラッチ及びラッチ解除を順番に示す図である。
【図７Ｂ】図７Ａの次の状態を示す図である。
【図７Ｃ】図７Ｂの次の状態を示す図である。
【図７Ｄ】図７Ｃの次の状態を示す図である。
【図７Ｅ】図７Ｄの次の状態を示す図である。
【図７Ｆ】図７Ｅの次の状態を示す図である。
【図７Ｇ】図７Ｆの次の状態を示す図である。
【図８】本発明の別の態様による伸縮レールの側面図を示す。
【図９】図８のレールを他側から見た斜視図である。
【図１０】調整ノブとギヤボックスの前面カバーを取り外した状態の同じ図を示す。
【図１１】図８のレールの側面図を示す。
【図１２】図１１のＡ−Ａ線及びＢ−Ｂ線の断面図をそれぞれ示す。
【発明を実施するための形態】
【００１９】
図１は、本発明の好ましい実施形態による表示画面（図示せず）用の関節式支持アーム１００の側面図を示す。支持アーム１００は、下部アーム１１０及び上部アーム１３０を備える。下部アーム１１０及び上部アーム１３０は、後述する１つまたは複数の関節接合部によって互いに動くことができる。上部アーム１３０は、下部アーム１１０に対して水平面及び垂直面内で回転することができる。
【００２０】
下部アーム１１０は、任意の適切な取り付け手段によって、机、床または壁などの支持面に固定される。図１は、机またはテーブルに取り付けるためのＣ形クランプ１２０を示している。本発明の支持アームと共に、本出願人の市販の「Ｍｏｎｏｂｅａｍ」クランプ並びに従来の卓上グロメット及びスルーポストを含む、他の取り付け又はクランプの設計を使用することができる。主な要件は、下部アーム１１０の端部がその上に位置し、その周りで回転できる垂直のスピゴット１２６（図２）を提供することである。グラブねじ１２７（図２）などの止め具を使用して、下部アーム１１０の取り付け部に対する回転範囲を制限することができる。
【００２１】
図１に示すＣ型クランプ１２０は、Ｌ型ブラケット１２１と、下部プレート１２２と、ねじクランプアセンブリ１２３とを含む。下部プレート１２２には、Ｌ型ブラケット１２１の蟻溝１２５内を摺動する蟻ほぞ１２４が設けられている。Ｌ型ブラケットの天板１２６ａからの距離が異なる２つ以上の蟻溝１２５を設けることにより、ねじクランプアッセンブリ１２３を締め付ける前に、顎の大きさを粗く調整することができる。
【００２２】
この特徴により、例えば、机が壁の近くにあり、容易に外に出すことができない場合など、クランプを支持面の周りに配置するための限られたクリアランスがある場合に使用される。そのクランプでは、Ｌ型ブラケット１２１を上方から下降させて、下部プレート１２２を適切な蟻溝１２５内に下方から挿入し、ねじクランプアッセンブリ１２３を支持面の下側に締め付けた状態で、Ｃ型クランプが支持面の周りで効果的に組み立てられる。典型的には、わずか約１０ｍｍの表面と壁との間隔があればよい。Ｃ型クランプを組み立てるための工具は必要ない。
【００２３】
図２は、図１の関節式支持アーム１００の断面側面図を示している。この図では、表示画面用のケーブルをきれいにかつ安全に収納するための表示画面用のケーブル管理機能を見ることができ、それによれば、支持アームが汚れず、乱雑にならない。下部アーム１１０は、ケーブルを保持するための中央コア１１１を有し、ケーブルは、２つのタブ１１２を越えてケーブルを定位置に保持する上面に押しつけられる。上部アーム１３０には、２つの回転可能なＴクリップ１３１が設けられており、ケーブルがそれらのＴクリップ１３１によってアームの下側に格納されるようにしている。
【００２４】
図３は、上部アーム１３０及び関節式支持アーム１００の関節ジョイントの拡大断面側面図を示す。上部アーム１３０は、中央支持セクション１３２と、下部及び上部延長セクション１３３、１３４とから構成される。下部延長セクション１３３は、水平面内において下部アーム１１０に対して上部アーム１３０を回転させる実質的に垂直な回転軸を有するスピゴット・ソケット・ジョイント（ｓｐｉｇｏｔ−ａｎｄ−ｓｏｃｋｅｔ  ｊｏｉｎｔ）１３５を介して下部アーム１１０に接続されている。下部延長セクション１３３は、垂直平面内で下部アーム１１０に対して上部アーム１３０を回転させる実質的に水平な回転軸を有するピボット１３６によって上部アーム１３０の中央支持セクション１３２に対して回転することができる。上部延長セクション１３４は、ピボット１３７によって上部アームの中央支持セクション１３２に対して回転することができる。
【００２５】
２つの延長セクション１３３、１３４は、中央支持セクション１３２を介して接続されることに加えて、中央支持セクション１３２が移動されている間に２つの延長セクション１３３、１３４を互いに同じ垂直方向に保つ連結機構によっても接続される。これは、例えば、表示画面の高さを変更するためにアームを動かすとき、表示画面を垂直に対して同じ角度に維持することができる。リンク機構は、リンク１３８、コネクタ１３９、リンク連結ロッド１４０及びリンク１４１を含む。
【００２６】
重量調節機構は、コネクタ１３９とベアリング１４３との間に対向する力を提供する圧縮ばね１４２を含む。その力はベアリング１４３側の端部では、調節ナット１４４及び中央支持セクション１３２を介して下部延長セクション１３３に伝達される。圧縮ばね１４２の他方の端部はコネクタ１３９に作用する。リンクの作用線が下部延長セクション１３３のピボット１３６からオフセットされているため、リンクの力はトルクを生じさせ、中央支持セクション１３２を、そしてそれにより上部アーム１３０をピボット１３６回りに回転させようとするトルクをもたらす。重量調節機構が平衡状態にあるとき、このトルクは、アームの他端の負荷によって誘発されるピボット周りのトルクと平衡状態にある。
【００２７】
圧縮ばね１４２によってもたらされるトルクは、中央支持セクション１３２上のねじに沿って上下に動く調節ナット１４４によって調整される。調節ナット１４４の外側にハンドグリップ（図４の符号１４６）が設けられており、そのハンドグリップはトップカバー１４５が持ち上げられたときに使用者に見える。ハンドグリップの回転は、ナット及びベアリング１４３に対し、中央支持部１３２のねじ部分に沿った位置の変化をもたらす。それにより、圧縮ばねが働くことができる空間の長さを変化させ、負荷のバランスをとる要求に応じて重量調節機構内でより大きいまたはより小さい力をもたらす。ベアリング１４３は、調節ナット（アジャスター）を回転させるとき、圧縮ばねの推力及びアームの荷重によって生じる摩擦を低減する。
【００２８】
使用者は、アームを平衡状態に維持するのに十分な平衡力が提供されるまで調節ナットを調整する。バランスを取る力の範囲を与えるピボット１３６に組み込まれた摩擦は、使用者によるこの労力を軽減し、調整において正確である必要がなくなる。この好ましい実施形態の調節装置は、操作するための工具を必要とせず、支持アームの本体に便利に一体化される。正確な調整方向を見つけるのを助けるために矢印またはプラス／マイナス記号を付けることができ、また、緊張のレベルまたは程度を示すため、動きに刻み目（ｎｏｔｃｈｅｄ）を設けてもよい。
【００２９】
図４は、調節用のハンドグリップ１４６を示すため、上部アーム１３０の一部を切り欠いた（トップカバー１４５が取り外された）関節式支持アーム１００の斜視図を示している。
【００３０】
図１〜４を参照して、一般的に符号２００で示される取り付けヘッドは、雄部２１０と雌部２５０を備えている。図３を参照すると、雄部２１０は、ピボット１４７及び１４８によって上部アーム１３０に対して回転することができ、それらは直交する２平面内の回転を許す。
【００３１】
図５Ａは雄部２１０を斜視図で示し、図５Ｂは正面図を示し、図５Ｃは側面図を示す。好ましい実施形態では、雄部２１０はアルミニウム鋳造物から作られる。それは円形の後部フランジ２１１を有し、この後部フランジの後部に上部アーム１３０に接続されるボス２１２が設けられており、このボス２１２は上で参照したピボット（ピボットジョイント）１４８の一部を形成している。突起２１３は、後部フランジ２１１の前面に設けられている。突起２１３は、図５Ｃに見られるように、後部フランジ２１１から前に向かって幅が広がり、後部フランジ２１１と突起２１３の間に三角溝またはチャンネル２１４が形成される。これは後述する雌部２５０に配置されて係合する部分である。
【００３２】
図５Ｂを参照すると、突起２１３は、隣接する２つの辺のうち２つを切り欠いて形成したノッチ２１５及び２１６を有するほぼ四辺形の形状を有する。いずれかのノッチを６時の位置に置くと、突起の側面は１２時の位置に向かう方向に収束していき、突起２１３は下部より上部が狭くなっていく。２つのノッチの存在及び突起２１３の形状は、雄部２１０が９０度離れた２つの異なる向きで雌部２５０と係合することを可能にする。
【００３３】
ねじ２１８によって保持される全体的にＪ字形の板ばね２１７が各ノッチ２１５及び２１６の中央に配置されている。各図では、板ばね２１７は１つのみ示している。
【００３４】
図６Ａは、雌部２５０を分解斜視図で示し、図６Ｂは組み立てられた構成要素の正面図を示し、図６Ｃは側面図を示す。雌部２５０は、全体形状が短い円筒である本体２５１を備える。本体２５１はその前面２５２に溝（チャンネル）２５３を有し、その溝は、シリンダの一方の側では側面に円筒壁がないために開放端２５４とされ、他方の側では、他方の円筒壁によって閉じられた閉鎖端２５５とされている。溝２５３の幅は、閉鎖端２５５に向かって狭くなる。本体２５１の前面の後ろには、２つの構成要素が係合したときに、雄部２１０の突起２１３を収容する溝２５３が開いている。溝を形成する前面の２つの側縁２５６は、雄部の溝２１４内に位置する。
【００３５】
本体２５１の後部には、表示画面の後部に取り付けられた取り付けプレート２５７が取り付けられている。好ましいタイプの取り付けプレートは、４つの外側取り付け穴が１００ｍｍ離間し、４つの内側取り付け穴が７５ｍｍ離間している「ＶＥＳＡ」規格に適合する。
【００３６】
雄部２１０と雌部２５０とをロックするラッチ機構は、ノッチ２１５（または２１６）の上端２１９と雄部２１０の板ばね２１７と、雌部２５０の他の主要部分であるレバー（ロックレバー）２５８とから構成されている。レバー２５８は、クリップまたはクリップスプリングと呼ばれてもよい。レバー２５８は、好ましくは、必要な弾力性を提供するためにばね鋼から作られる。
【００３７】
レバー２５８は、２つの側縁２５６によって規定されるように本体２５１内の溝２５３の輪郭内に嵌合するように成形された全体的に細長い構成要素である。レバー２５８の上端は本体２５１に取り付けられるが、その長手方向に沿う他の部分はどこも取り付けていない。レバー２５８の下端部には、タブ２５９が設けられている。レバーのほぼ中央にはラッチ突起２６０が設けられているが、これについては後に詳述する。
【００３８】
外部から付勢力がない場合、レバー２５８は、本体２５１の後壁とほぼ平行に、その取付け点から概してまっすぐ下方に延びる傾向がある。しかし、その固有の弾性のために、外部からの付勢力がレバーを（例えば、タブ２５９またはラッチ突起２６０まで）押し込むと、レバー２５８を押し戻して、本体２５１の後壁に対して傾斜した位置を取ることができる。したがって、レバー２５８は、第１の休止位置（ほぼ垂直、付勢力なし）及び第２の後退位置（後壁に向けて傾斜し、付勢力が加えられる）を有する。
【００３９】
図７を参照して、雄部２１０及び雌部２５０のラッチ工程及びアンラッチ工程を以下に説明する。図７Ａ〜図７Ｅは、ラッチ工程を順に示し、図７Ｅに互いにロックされた状態を示す。図７Ｆ及び図７Ｇはアンラッチ工程を示す。
【００４０】
重要な特徴の参照番号は図７Ａに示されているが、明確にするために他の図からは省略されている。図７Ａは、雄部２１０と雌部２５０の間の最初の係合を示す。雄部２１０の突起２１３は、雌部２５０が雄部２１０に対して矢印の方向に動くために、溝２５３に挿入される。クリップまたはレバー２５８は静止位置にあり、突起２１３はレバー２５８のラッチ突起２６０と最初の接触をしている。
【００４１】
図７Ｂでは、突起２１３が溝２５３への水平挿入の限界に達しており、ラッチ突起２６０が最大限まで押し戻されて、レバー２５８が後退位置にあり、突起２１３がレバーの固有の弾性に抗する付勢力をもたらす。雄部２１０は、今や、矢印の方向に下方に移動する雌部２５０に対し、溝内で垂直に相対的に上方に移動する。
【００４２】
また、図７Ｃ、図７Ｄ及び図７Ｅは、ラッチ突起２６０、ノッチ２１５の上端２１９及びばね２１７の係合シーケンスを示す。図７Ｃでは、ラッチ突起２６０の下縁は、雌部２５０が下に移動するときに突起２１３の前面の角度によってノッチ２１５内にちょうど縁をつける。
【００４３】
図７Ｄにおいて、ラッチ突起２６０の下縁は、板ばね２１７の端部を捕捉し、雌部２５０が下方に移動し続けると、板ばね２１７を下方に付勢する。レバー２５８の固有の弾性のために、ラッチ突起２６０の上端がノッチ２１５の上端２１９から離れてすぐに、ラッチ突起２６０は図７Ｅに示すようにノッチ内に嵌め込まれ、上縁２１９がラッチ突起２６０の上端部に隣接しているために部分（雄部と雌部）同士が互いにロックされる。板ばね２１７はまた、図示のようにラッチ突起２６０の下縁の周りに掛けられ、安全性を高める。
【００４４】
この離脱過程を図７Ｆ及び図７Ｇに示す。レバー２５８のタブ２５９は手動で後方に押され、これによりラッチ突起２６０がノッチ２１５から外に出て、板ばね２１７の端部が下方に付勢（変形）される。ラッチ突起２６０の下縁が板ばね２１７の端部を通過すると、板ばね２１７は上方に移動することによってその静止位置に戻る。板ばね２１７はラッチ突起２６０に抗して作用し、その固有の付勢力に抗してこの解除位置に保持するので、手動の付勢力はもはや取り除くことができる（押し続ける必要がない）。その状態で図７Ｇに示すように、雌部２５０を矢印の方向に上方に移動させて、構成要素を完全に分離することができる。
【００４５】
したがって、本発明の取り付けヘッドは、自動、セルフラッチ／ロック機能及びマニュアルロック解除機能を提供し、これにより、雄部及び雌部のロック解除／解放が可能であり、取り付けヘッドに解除操作の力を継続して加えることなく、取り付けヘッドを分離することができる。したがって、両手で支持体から表示画面（ディスプレイ）を安全に取り外すことが可能であり、これはより大きな表示画面で特に有益である。
【００４６】
本発明のさらなる態様は、少なくとも２つの表示画面を支持体に取り付けるための装置に関する。図８は、このような装置の好ましい実施形態を伸縮自在レール３００として示している。図８は、２つの表示画面４００を後方から見た立面図である。伸縮自在レール３００は、中央に位置する取り付けヘッド３１０を含み、その取り付けヘッドは装置を支持アームまたは壁のような支持体に固定する。適切な支持アームとして、上述した支持アーム１００がある。取り付けヘッド自体は、上記のような取り付けヘッド２００、より正確には、そのような取り付けヘッドの雄部２１０または雌部２５０であってもよい。図示の実施形態では、取り付けヘッド３１０は上述の雌部２５０である。
【００４７】
２つの表示画面を搭載する取り付けヘッド３２０が、伸縮自在レール３００の各端部に設けられる。これらの取り付けヘッドは、任意の適切な取り付けヘッドを使用することができるが、好ましい実施形態では、取り付けヘッドは、雄部２１０をレール３００上に設け、「ＶＥＳＡ型」の雌部２５０を表示画面に装着たものであり、上述した取り付けヘッドと同じである。わずかに異なるモニタサイズを可能にするために、レール位置の微調整（例えばプラスマイナス５度）のためのハンドル３３０が設けられている。
【００４８】
図９は、図８の伸縮自在レール３００を他の側から見た斜視図を示す。レール自体は、２つの細長いプレート、すなわちフロントプレート３４０及びリアプレート３５０を含む。１つの取り付けヘッド３２０がフロントプレート３４０に取り付けられ、他のものがリアプレート３５０に取り付けられる。各プレートは、それぞれのスロット３４１及び３５１を有し、互いに対して伸縮自在に摺動する。
【００４９】
中央取り付けヘッド３１０に隣接する伸縮レール３００の中央には、図示されているように取り付けヘッド３１０とは反対側のレールの外側に、調整ノブ３６１が外側に設けられたギアボックス３６０がある。調整ノブ３６１は、伸縮のレベルを、したがって取り付けヘッド３２０の間の間隔を設定するために使用される。
【００５０】
図１０は図９と同じ図を示しているが、調整ノブ３６１とギヤボックス３６０のフロントカバーは取り外されている。図１１は、レール３００の側面図を示し、図１２Ａ、図１２Ｂは、図１１のＡ−Ａ線及びＢ−Ｂ線に沿った断面図を示す。これらの図をすべて参照すると、調節機構が理解できる。
【００５１】
調整ノブ３６１は、シャフト３６２に接続され、シャフト３６２には、フロントギア３６３及びリアギア３６４が取り付けられている。フロントギア３６３は、フロントプレート３４０のスロット３４１の下部内縁に設けられた歯付きラック３４２と噛み合う。リアギア３６４は、リアプレート３５０のスロット３５１の上部内縁に設けられた歯付きラック３５２と噛み合う。したがって、シャフト３６２のいずれかの方向への回転は、プレート３４０、３５０を反対方向に同時に移動させ、プロセス中のレールの全長を短くするか、または長くする。
【００５２】
伸縮レール３００は、図示のように実質的に水平な構成で使用してもよいし、垂直構成で使用してもよい。ある構成から他の構成への回転を可能にするために、ロック可能なピボットが設けられてもよい。
【符号の説明】
【００５３】
１００  関節式支持アーム
１１０  下部アーム
１１１  中央コア
１１２  タブ
１２０  Ｃ型クランプ
１２１  Ｌ型ブラケット
１２２  下部プレート
１２３  ねじクランプアッセンブリ
１２４  蟻ほぞ
１２５  蟻溝
１２６  スピゴット
１２６ａ  天板
１２７  グラブねじ
１３０  上部アーム
１３１  Ｔクリップ
１３２  中央支持セクション
１３３  下部延長セクション
１３４  上部延長セクション
１３５  スピゴット・ソケット・ジョイント
１３６、１３７  ピボット
１３８  リンク
１３９  コネクタ
１４０  リンク連結ロッド
１４１  リンク
１４２  圧縮ばね
１４３  ベアリング
１４４  調節ナット
１４５  トップカバー
１４６  ハンドグリップ
１４７、１４８  ピボット
２００  取り付けヘッド
２１０  雄部
２１１  後部フランジ
２１２  ボス
２１３  突起
２１４  （雄部の）溝
２１５、２１６  ノッチ
２１７  板ばね
２１８  ねじ
２１９  ノッチの上端
２５０  雌部
２５１  本体
２５２  前面
２５３  溝
２５４  開放端
２５５  閉鎖端部
２５６  側縁部
２５７  取り付けプレート
２５８  レバー
２５９  タブ
２６０  ラッチ突起
３００  伸縮自在レール
３１０、３２０  取り付けヘッド
３３０  ハンドル
３４０  フロントプレート
３４１  スロット
３４２  歯付きラック
３５０  リアプレート
３５１  スロット
３５２  歯付きラック
３６０  ギヤボックス
３６１  調整ノブ
３６２  シャフト
３６３  フロントギヤ
３６４  リヤギヤ
４００  表示画面
【図１】
2018116278.tif 000003
【図２】
2018116278.tif 000004
【図３】
2018116278.tif 000005
【図４】
2018116278.tif 000006
【図５】
2018116278.tif 000007
【図６】
2018116278.tif 000008
【図７Ａ】
2018116278.tif 000009
【図７Ｂ】
2018116278.tif 000010
【図７Ｃ】
2018116278.tif 000011
【図７Ｄ】
2018116278.tif 000012
【図７Ｅ】
2018116278.tif 000013
【図７Ｆ】
2018116278.tif 000014
【図７Ｇ】
2018116278.tif 000015
【図８】
2018116278.tif 000016
【図９】
2018116278.tif 000017
【図１０】
2018116278.tif 000018
【図１１】
2018116278.tif 000019
【図１２】
2018116278.tif 000020